(57)【要約】【課題】利用可能な新規な送風装置を製造すること。【解決手段】  ｎ個（ｎ＞１）のファンを有する送風装置であって、前記ファン（２４、２６、２８）を収容するハウジング（２２、４０）を有し、前記ハウジング（２２、４０）は、第１ハウジング部（２２）と、第２ハウジング部（４０）と、を備え、ａ）前記第１ハウジング部（２２）は、前記ファン（２４、２６、２８）のそれぞれに対応する流通口（７６）を有し、かつ、前記第１ハウジング部（２２）に導入されて前記流通口（７６）に対応する領域に配置された前記ファン（２４、２６、２８）に通ずる少なくとも１つの取付開口（７８）を有し、ｂ）前記第２ハウジング部（４０）は、一方が前記第１ハウジング部（２２）の少なくとも１つの前記取付開口（７８）を有する側に接続され、他方が空気の出口（４２）を有する。【選択図】図６
2013535374.tif 000002
【特許請求の範囲】
【請求項１】
ｎ個（ｎ＞１）のファンを有する送風装置であって、
前記ファン（２４、２６、２８）を収容するハウジング（２２、４０）を有し、
前記ハウジング（２２、４０）は、第１ハウジング部（２２）と、第２ハウジング部（４０）と、を備え、
ａ）前記第１ハウジング部（２２）は、前記ファン（２４、２６、２８）のそれぞれに対応する流通口（７６）を有し、かつ、前記第１ハウジング部（２２）に導入されて前記流通口（７６）に対応する領域に配置された前記ファン（２４、２６、２８）に通ずる少なくとも１つの取付開口（７８）を有し、
ｂ）前記第２ハウジング部（４０）は、一方が前記第１ハウジング部（２２）の少なくとも１つの前記取付開口（７８）を有する側に接続され、他方が空気の出口（４２）を有することを特徴とする送風装置。
【請求項２】
前記第１ハウジング部（２２）は、少なくとも部分的に曲がりくねって形成されていることを特徴とする請求項１記載の送風装置。
【請求項３】
前記ファン（２４、２６、２８）は、機器のファン（２４、２６、２８）として設計され、それぞれ、対応する前記ファンを駆動するための電動モータを有することを特徴とする請求項１又は２記載の送風装置。
【請求項４】
前記第２ハウジング部（４０）には、フィルタ、冷却すべき電気機器などが実装されていることを特徴とする請求項１乃至３のいずれか一に記載の送風装置。
【請求項５】
前記第２ハウジング部（４０）は、曲がりくねって形成されていることを特徴とする請求項１乃至４のいずれか一に記載の送風装置。
【請求項６】
前記ファン（２４、２６、２８）は、回転軸（２４Ａ、２６Ａ、２８Ａ）を中心に回転可能なファンホイールを備え、前記ファンホイールの少なくともいくつかの回転軸は、平行ではなく互いに角度をなして延在していることを特徴とする請求項１乃至５のいずれか一に記載の送風装置。
【請求項７】
前記ファン（２４、２６、２８）は、少なくとも部分的にラジアルファン（２４、２６、２８）、又は、少なくとも部分的に軸流ファンとして、形成されていることを特徴とする請求項１乃至６のいずれか一に記載の送風装置。
【請求項８】
前記ファン（２４、２６、２８）は、個別またはグループ単位で切り替えることができることを特徴とする請求項１乃至７のいずれか一に記載の送風装置。
【請求項９】
少なくとも前記ファン（２４、２６、２８）のいくつかは、互いに異なる共振周波数を有することを特徴とする請求項１乃至８のいずれか一に記載の送風装置。
【請求項１０】
前記送風装置（２０）は、ユーザ固有の周辺部品を装備していることを特徴とする請求項１乃至９のいずれか一に記載の送風装置。
【請求項１１】
前記送風装置は、計器盤に配置された電子機器を冷却するために、自動車の計器盤の領域に配置され、前記第１ハウジング部（２２）の前記曲がりくねって形成された部分は、前記計器盤の領域の空間状態に適合されていることを特徴とする請求項１乃至１０のいずれか一に記載の送風装置。
【請求項１２】
前記送風装置は、自動車内を冷却処理し、前記第１ハウジング部（２２）の前記曲がりくねって形成された部分は、前記自動車内の空間状態に適合されていることを特徴とする請求項１乃至１１のいずれか一に記載の送風装置。
【請求項１３】
少なくともいくつかの前記ファン（２４、２６、２８）は、前記第１ハウジング部（２２）において対応する取付基部（５６、５８、６０）に配置されていることを特徴とする請求項１乃至１２のいずれか一に記載の送風装置。
【請求項１４】
共有されるフィルタ（７４）は、少なくともいくつかの前記ファン（２４、２６、２８）の流通口（７６）と関連付けられていることを特徴とする請求項１乃至１３のいずれか一に記載の送風装置。
【請求項１５】
前記フィルタ（７４）を支持する支持部材（７０）は、前記フィルタ（７４）と前記流通口（７６）との間に設けられていることを特徴とする請求項１乃至１４のいずれか一に記載の送風装置。
【請求項１６】
前記フィルタ（７４）は、前記第１ハウジング部（２２）に着脱自在に配置されているフィルタハウジング内に配置されていることを特徴とする請求項１乃至１５のいずれか一に記載の送風装置。
【請求項１７】
前記第２ハウジング部（４０）において、分離排出路（４７）は、少なくとも１つの前記ファン（２４、２６、２８）に関連付けられていることを特徴とする請求項１乃至１６のいずれか一に記載の送風装置。
【請求項１８】
少なくとも１つの空気誘導羽根は、動作中に前記分離排出路を通じて流れる体積流量を制御するために、前記分離排出路の出口に設けられていることを特徴とする請求項１乃至１７のいずれか一に記載の送風装置。
【請求項１９】
前記送風装置は、ｎ個（ｎ＞２）の前記ファンを有することを特徴とする請求項１乃至１８のいずれか一に記載の送風装置。
【請求項２０】
請求項１乃至１９のいずれか一に記載の送風装置を有することを特徴とする自動車。
【発明の詳細な説明】
【技術分野】
【０００１】
本発明は、ファンを有する送風装置に関する。
【背景技術】
【０００２】
複数のファンが引き出しのようなものに配置されたトレイは、電話や放送設備を冷却するものとして知られている。このような装置では、欠陥のあるファンを簡単に交換することができるが、大きなスペースを必要とし、多くの適用分野で利用できないようにしている。そのようなトレイは重く、エネルギー消費量を増加させるので、モバイルアプリケーションのために望ましくない。
【発明の概要】
【発明が解決しようとする課題】
【０００３】
自動車において、３つの空間方向のすべてで対応する大きさを有する単一の放射状の送風機は、通常は換気のために用いられている。特に、小型車では、送風機の設置スペースを見つけるのが難しくなっている。これは大きくて重いバッテリを搭載したハイブリッド車に特に当てはまり、運転中に非常に高温になり、その後、効率的に冷却する必要がある。
【０００４】
したがって、本発明の目的は、利用可能な新規な送風装置を製造することである。
【課題を解決するための手段】
【０００５】
この目的は、請求項１の発明特定事項によって達成される。
【０００６】
ｎ個（ｎ＞１）のファンを有する送風装置であって、前記ファンを収容するハウジングを有し、前記ハウジングは、第１ハウジング部と、第２ハウジング部と、を備え、前記第１ハウジング部は、前記ファンのそれぞれに対応する流通口を有し、かつ、前記第１ハウジング部に導入されて前記流通口に対応する領域に配置された前記ファンに通ずる少なくとも１つの取付開口を有し、前記第２ハウジング部は、一方にて前記第１ハウジング部の少なくとも１つの前記取付開口を有する側に接続され、他方にて空気の出口を有する。
【発明の効果】
【０００７】
これにより、小さなスペースに複数のファンを収容することができる。これらのファンは、安価であり、かつ、欠陥のある場合には容易に交換できるように、標準的な設計のファンとすることができる。各ファンは、必要に応じて、例えば、バスを介して、オンまたはオフに切り替えることもできる。
【０００８】
複数の小型ファンにファンの出力を分散することによって、使用可能な設置スペースにて、ハウジング部の形状を個別に適応させることができ、例えば、曲がりくねったスペースを用いて、様々な形状に作成したり、利用可能なスペースをより効果的に活用することができる。また、軽量及び高効率を達成することができる。
【０００９】
第１ハウジング部は、少なくとも部分的に曲がりくねって形成されていることが好ましい。前記ファンは、機器のファンとして設計され、それぞれ、対応する前記ファンを駆動するための電動モータを有することが好ましい。前記第２ハウジング部には、フィルタ、冷却すべき電気機器などが実装されていることが好ましい。前記第２ハウジング部は、曲がりくねって形成されていることが好ましい。前記ファンは、回転軸を中心に回転可能なファンホイールを備え、前記ファンホイールの少なくともいくつかの回転軸は、平行ではなく互いに角度をなして延在（配向）していることが好ましい。前記ファンは、ラジアルファンとして、少なくとも部分的に形成されていることが好ましい。前記ファンは、軸流ファンとして、少なくとも部分的に形成されていることが好ましい。
【００１０】
好ましい改良は、請求項８の発明特定事項から明らかであり、それによれば、前記ファンは、個別またはグループ単位で切り替えることができる。
【００１１】
前記ファンを個別に制御又は切替する機能は、低空気流量が必要とされる場合、前記ファンのいくつかをオフに切り替えることによって、エネルギーを節約することを可能にする。
【００１２】
少なくとも前記ファンのいくつかは、互いに異なる共振周波数を有することが好ましい。前記送風装置は、ユーザ固有の周辺部品を装備していることが好ましい。前記送風装置は、計器盤に配置された電子機器を冷却するために、自動車の計器盤の領域に配置され、前記第１ハウジング部の前記曲がりくねって形成された部分は、前記計器盤の領域の空間状態に適合されることが好ましい。前記送風装置は、自動車内を冷却処理し、前記第１ハウジング部の前記曲がりくねって形成された部分は、前記自動車の空間状態に適合されることが好ましい。少なくともいくつかの前記ファンは、前記第１ハウジング部において対応する取付基部に配置されていることが好ましい。共有されるフィルタは、少なくともいくつかの前記ファンの空気入口（複数）と関連付けられていることが好ましい。前記フィルタを支持する支持部材は、前記フィルタと前記空気入口（複数）との間に設けられることが好ましい。前記フィルタは、前記第１ハウジング部に着脱自在に配置されているフィルタハウジング内に配置されていることが好ましい。前記第２ハウジング部において、分離した（別々の）分離排出路は、少なくとも１つの前記ファンに関連付けられることが好ましい。少なくとも１つの空気誘導羽根（ガイドベーン）は、動作中に前記分離排出路を通じて流れる体積流量を制御するために、前記分離排出路の出口に設けられることが好ましい。前記送風装置は、ｎ個（ｎ＞２）の前記ファンを有することが好ましい。
【００１３】
好ましい形態として、自動車は、この種の送風装置を有する。
【００１４】
本発明のさらなる詳細及び有利な形態は、例示された実施例から明らかであり、以下の記載、図面の記載、及び、従属請求項により、本発明を限定するものとして理解されるべきではない。
【図面の簡単な説明】
【００１５】
【図１】空気を、フィルタ（７４）を通じて第１ハウジング部（２２）で取り込み、第２ハウジング部（４０）を通って排出し、例えば、冷却対象物に向けて送風する送風装置（２０）の斜視図である。
【図２】図１の矢印ＩＩの方向から見た平面図である。
【図３】図２からフィルタを除いた状態を示した図である。
【図４】図２のＩＶ−ＩＶ線に沿った断面図である。
【図５】第１ハウジング部の展開斜視図である。
【図６】図３のＶＩ−ＶＩ線に沿った断面図である。
【図７】図３のＶＩＩ−ＶＩＩ線に沿った断面図である。
【図８】図１〜３に示されたスイッチボックス（３６）の斜視図である。
【図９】図８の矢印ＩＸの方向から見た側面図である。
【図１０】図８の矢印Ｘの方向から見た側面図である。
【図１１】図８の矢印ＸＩの方向から見た側面図である。
【図１２】スイッチボックス（３６）内に配置されている回路基板（９４）を概略的に示した斜視図である。
【図１３】図１２に類似した回路基板（９４）の平面図である。
【発明を実施するための形態】
【００１６】
図１及び図２は、非常にコンパクトな送風装置２０の外形を示す。送風装置２０は、図３に示すように、矢印で示される方向（時計回り）に回転する３つのラジアルファン２４、２６、２８が配置された第１ハウジング部２２を有する。第１ハウジング部２２の外側において、例えば、振動減衰取付台３０、３２、３４を、第１ハウジング部２２の任意の所望の位置に配設することができる。これらの振動減衰取付台３０、３２、３４は、固体伝搬振動の伝達を低減する。スイッチボックス３６も、第１ハウジング部２２に設けられている。スイッチボックス３６は、例えば、ファン２４、２６、２８を制御することが可能な制御バス３８に接続される電子部品（図示せず）を含む。当業者によく知られているような様々な種類の制御バスがある。
【００１７】
これらの部品は、そのような共振などの音響効果を低減するために、ファン２４、２６、２８を多少異なる回転速度に調整する役割を果たすことができる。
【００１８】
図１の第１ハウジング部２２の右側に配された第２ハウジング部４０は、本実施形態では、ファン２４、２６、２８によって送られた空気を出口４２に導く機能のみ有する。空気誘導羽根（ガイドベーン）４４、４６は、各ファン２４、２６、２８の過負荷を避けるために、各ファン２４、２６、２８で生成された体積流量を調整するために設けられている。矢印５０（図１）によって示された空気は、ファン２４、２６、２８によって流通口７６（図３）を通じて取り込まれる。矢印４８によって示される、流出する空気は、矢印５０によって示されるように取り込まれる。軸流ファンを使用した場合、制御バス３８を介して軸流ファンホイールの回転方向を逆転させることで、空気の流れの方向を逆にすることができる。
【００１９】
図１、図４、図５で明らかに示されているように、第１ハウジング部２２は、例えば、車両（図示せず）の窪み５４の形状に最適に適合するように形成され、その窪みは、例えば、図４に示されているような車両の一部のように、計器盤、計器盤などの領域に配置された部品によって定義される。ここで、窪み５４の形状は、例えば、凹面であり、ただし、平坦又は凸状にすることもできる。それは曲がりくねった形状にも適応も可能であることは、非常に有利である。ファン２４、２６、２８を駆動するために設けられた電動モータは、図４で見ることができる。
【００２０】
（取付）基部５６、５８、６０は、第１ハウジング部２２に設けられている。ファン２４は、例えば、ねじ６２、６４及びゴム製緩衝部６６、６８の手段によって（を介して）取付基部５６上に取り付けられている（図６も参照）。その他の取付及び分離手段として、ゴムによるクリップ接続なども可能である。ファン２６は取付基部５８上に取り付けられており、ファン２８は取付基部６０上に取り付けられている。このように、各ファンは、車両のように、局所的なニーズに応じて、所望の方法で空間的に配向させることができる。
【００２１】
なお、図示されているファンはラジアルファンであるが、必要に応じて他のタイプのファンも使用することができる。
【００２２】
図４から明らかであるように、３つのファン２４、２６、２８又はファンホイールの回転軸２４Ａ、２６Ａ、２８Ａは、互いに平行を延在している必要はない。例えば、回転軸２６Ａは、回転軸２４Ａに対して垂直に延在するようにすることができ、回転軸２８Ａは、回転軸２６Ａに対して垂直に延在するようにすることができる。
【００２３】
グリッド形式の支持部材７０は、３つのファン２４、２６、２８の入口側に取り付けられている。支持部材７０は、縦リブ７２を有する（図３及び図７参照）。縦リブ７２は、フィルタ７４がファンホイールによって吸引されないようにするために、フィルタ７４を支持するのに役立つ。さらに、支持部材７０は、空気がファン２４、２６、２８に流れる３つの切欠き開口（流通口、空気入口）７６（図４）を有する。
【００２４】
フィルタ７４は、交換できるように、取外し可能なフィルタハウジング８０によって保持されている。フィルタハウジング８０の形状は、第１ハウジング部２２の形状に適合し（図４参照）、フィルタハウジング８０は、支持部材７０を第１ハウジング部２２に押し付ける。
【００２５】
図８は、図１〜図３のスイッチボックス３６の拡大斜視図である。スイッチボックス３６は、第１ハウジング部２２の対応する切欠き開口に掛合する４つの弾性タブ９２が装備されたハウジングキャップ９０を有する。
【００２６】
スイッチボックス３６は、ファンを互いに調整するために、３つのすべてのファン２４、２６、２８のための中央電子システムが含まれている。自動車に搭載されたとき、ファンは、異なる出力レベル、及び、その結果として異なる回転速度で操作されることが必要であり、煩わしい音響現象を回避するような方法で、異なる回転速度でファンを動作させなければならない場合がある。また、例えば、図２に示されている制御バス３８を介して、１以上のファン２４、２６、２８を選択的にオン・オフする（切り替える）ようにしてもよい。
【００２７】
図９〜図１１は、図８の側面図である。
【００２８】
図１２及び図１３は、電子部品９６が概略的に描かれた回路基板９４を示している。また、回路基板９４上には端子９８が配置されており、端子９８には中央バス３８に接続された３つの接続リード線１００が取り付けられている。接続リード線１００は、スイッチボックス３６内に侵入する湿気を防ぐために、ハウジングキャップ９０の壁面にあるシール１０２を通じて通常の方法で導かれている。
【００２９】
多数の変形例及び改変は、送風装置を異なる３次元形状に適応させるために、本発明の範囲内で当然可能である。
【００３０】
３個のファンの代わりに、例えば、２個、４個、５個、又は６個のファン２２、２４、２６を設けることもできる。
【００３１】
センサ（例えば、温度センサ、湿度センサ）を、例えば、第２ハウジング部４０に配置することができる。
【００３２】
分離排出路４７（図６）を各ファン又はいくつかのファンに対応付けることができ、２個以上のファン２２、２４、２６に共有化された分離排出路４７を設けることもできる。
【００３３】
ファン２２、２４、２６及び／又はスイッチボックス３６は、少なくともＩＰ５４規格に対応する保護規格を有することが好ましい。
【符号の説明】
【００３４】
２０  送風装置
２２  第１ハウジング部
２４、２６、２８  ファン
２４Ａ、２６Ａ、２８Ａ  回転軸
３０、３２、３４  振動減衰取付台
３６  スイッチボックス
３８  制御バス
４０  第２ハウジング部
４２  出口
４４、４６  空気誘導羽根
４７  分離排出路（分離排出誘導路）
４８  矢印
５０  矢印
５４  窪み
５６、５８、６０  取付基部
６２、６４  ねじ
６６、６８  ゴム製緩衝部
７０  支持部材
７２  縦リブ
７４  フィルタ
７６  流通口（流入口）
７８  取付開口（組立開口）
８０  フィルタハウジング
９０  ハウジングキャップ
９２  弾性タブ
９４  回路基板
９６  電子部品
９８  端子
１００  接続リード線
１０２  シール
【図１】
2013535374.tif 000003
【図２】
2013535374.tif 000004
【図３】
2013535374.tif 000005
【図４】
2013535374.tif 000006
【図５】
2013535374.tif 000007
【図６】
2013535374.tif 000008
【図７】
2013535374.tif 000009
【図８】
2013535374.tif 000010
【図９】
2013535374.tif 000011
【図１０】
2013535374.tif 000012
【図１１】
2013535374.tif 000013
【図１２】
2013535374.tif 000014
【図１３】
2013535374.tif 000015
【手続補正書】
【提出日】平成25年4月4日(2013.4.4)
【手続補正１】
【補正対象書類名】明細書
【補正対象項目名】全文
【補正方法】変更
【補正の内容】
【発明の詳細な説明】
【技術分野】
【０００１】
本発明は、ファンを有する送風装置に関する。
【背景技術】
【０００２】
複数のファンが引き出しのようなものに配置されたトレイは、電話や放送設備を冷却するものとして知られている。このような装置では、欠陥のあるファンを簡単に交換することができるが、大きなスペースを必要とし、多くの適用分野で利用できないようにしている。そのようなトレイは重く、エネルギー消費量を増加させるので、モバイルアプリケーションのために望ましくない。
【先行技術文献】
【特許文献】
【０００３】
【特許文献１】米国特許出願公開第２００３／０３７９１２号明細書
【特許文献２】独国特許出願公開第１０２００５００４４５０号明細書
【特許文献３】欧州特許出願公開第２１３８３３４号明細書
【特許文献４】独国特許出願公開第１０２００８０２６６９２号明細書
【発明の概要】
【発明が解決しようとする課題】
【０００４】
自動車において、３つの空間方向のすべてで対応する大きさを有する単一の放射状の送風機は、通常は換気のために用いられている。特に、小型車では、送風機の設置スペースを見つけるのが難しくなっている。これは大きくて重いバッテリを搭載したハイブリッド車に特に当てはまり、運転中に非常に高温になり、その後、効率的に冷却する必要がある。
【０００５】
したがって、本発明の目的は、利用可能な新規な送風装置を製造することである。
【課題を解決するための手段】
【０００６】
この目的は、請求項１の発明特定事項によって達成される。
【０００７】
ｎ個（ｎ＞１）のファンを有する送風装置であって、前記ファンを収容するハウジングを有し、前記ハウジングは、第１ハウジング部と、第２ハウジング部と、を備え、前記第１ハウジング部は、前記ファンのそれぞれに対応する流通口を有し、かつ、前記第１ハウジング部に導入されて前記流通口に対応する領域に配置された前記ファンに通ずる少なくとも１つの取付開口を有し、前記第２ハウジング部は、一方にて前記第１ハウジング部の少なくとも１つの前記取付開口を有する側に接続され、他方にて空気の出口を有する。
【発明の効果】
【０００８】
これにより、小さなスペースに複数のファンを収容することができる。これらのファンは、安価であり、かつ、欠陥のある場合には容易に交換できるように、標準的な設計のファンとすることができる。各ファンは、必要に応じて、例えば、バスを介して、オンまたはオフに切り替えることもできる。
【０００９】
複数の小型ファンにファンの出力を分散することによって、使用可能な設置スペースにて、ハウジング部の形状を個別に適応させることができ、例えば、曲がりくねったスペースを用いて、様々な形状に作成したり、利用可能なスペースをより効果的に活用することができる。また、軽量及び高効率を達成することができる。
【発明を実施するための形態】
【００１０】
第１ハウジング部は、少なくとも部分的に曲がりくねって形成されていることが好ましい。前記ファンは、機器のファンとして設計され、それぞれ、対応する前記ファンを駆動するための電動モータを有することが好ましい。前記第２ハウジング部には、フィルタ、冷却すべき電気機器などが実装されていることが好ましい。前記第２ハウジング部は、曲がりくねって形成されていることが好ましい。前記ファンは、回転軸を中心に回転可能なファンホイールを備え、前記ファンホイールの少なくともいくつかの回転軸は、平行ではなく互いに角度をなして延在（配向）していることが好ましい。前記ファンは、ラジアルファンとして、少なくとも部分的に形成されていることが好ましい。前記ファンは、軸流ファンとして、少なくとも部分的に形成されていることが好ましい。
【００１１】
好ましい改良は、請求項８の発明特定事項から明らかであり、それによれば、前記ファンは、個別またはグループ単位で切り替えることができる。
【００１２】
前記ファンを個別に制御又は切替する機能は、低空気流量が必要とされる場合、前記ファンのいくつかをオフに切り替えることによって、エネルギーを節約することを可能にする。
【００１３】
少なくとも前記ファンのいくつかは、互いに異なる共振周波数を有することが好ましい。前記送風装置は、ユーザ固有の周辺部品を装備していることが好ましい。前記送風装置は、計器盤に配置された電子機器を冷却するために、自動車の計器盤の領域に配置され、前記第１ハウジング部の前記曲がりくねって形成された部分は、前記計器盤の領域の空間状態に適合されることが好ましい。前記送風装置は、自動車内を冷却処理し、前記第１ハウジング部の前記曲がりくねって形成された部分は、前記自動車の空間状態に適合されることが好ましい。少なくともいくつかの前記ファンは、前記第１ハウジング部において対応する取付基部に配置されていることが好ましい。共有されるフィルタは、少なくともいくつかの前記ファンの空気入口（複数）と関連付けられていることが好ましい。前記フィルタを支持する支持部材は、前記フィルタと前記空気入口（複数）との間に設けられることが好ましい。前記フィルタは、前記第１ハウジング部に着脱自在に配置されているフィルタハウジング内に配置されていることが好ましい。前記第２ハウジング部において、分離した（別々の）分離排出路は、少なくとも１つの前記ファンに関連付けられることが好ましい。少なくとも１つの空気誘導羽根（ガイドベーン）は、動作中に前記分離排出路を通じて流れる体積流量を制御するために、前記分離排出路の出口に設けられることが好ましい。前記送風装置は、ｎ個（ｎ＞２）の前記ファンを有することが好ましい。
【００１４】
好ましい形態として、自動車は、この種の送風装置を有する。
【００１５】
本発明のさらなる詳細及び有利な形態は、例示された実施例から明らかであり、以下の記載、図面の記載、及び、従属請求項により、本発明を限定するものとして理解されるべきではない。
【図面の簡単な説明】
【００１６】
【図１】空気を、フィルタ（７４）を通じて第１ハウジング部（２２）で取り込み、第２ハウジング部（４０）を通って排出し、例えば、冷却対象物に向けて送風する送風装置（２０）の斜視図である。
【図２】図１の矢印ＩＩの方向から見た平面図である。
【図３】図２からフィルタを除いた状態を示した図である。
【図４】図２のＩＶ−ＩＶ線に沿った断面図である。
【図５】第１ハウジング部の展開斜視図である。
【図６】図３のＶＩ−ＶＩ線に沿った断面図である。
【図７】図３のＶＩＩ−ＶＩＩ線に沿った断面図である。
【図８】図１〜３に示されたスイッチボックス（３６）の斜視図である。
【図９】図８の矢印ＩＸの方向から見た側面図である。
【図１０】図８の矢印Ｘの方向から見た側面図である。
【図１１】図８の矢印ＸＩの方向から見た側面図である。
【図１２】スイッチボックス（３６）内に配置されている回路基板（９４）を概略的に示した斜視図である。
【図１３】図１２に類似した回路基板（９４）の平面図である。
【実施例】
【００１７】
図１及び図２は、非常にコンパクトな送風装置２０の外形を示す。送風装置２０は、図３に示すように、矢印で示される方向（時計回り）に回転する３つのラジアルファン２４、２６、２８が配置された第１ハウジング部２２を有する。第１ハウジング部２２の外側において、例えば、振動減衰取付台３０、３２、３４を、第１ハウジング部２２の任意の所望の位置に配設することができる。これらの振動減衰取付台３０、３２、３４は、固体伝搬振動の伝達を低減する。スイッチボックス３６も、第１ハウジング部２２に設けられている。スイッチボックス３６は、例えば、ファン２４、２６、２８を制御することが可能な制御バス３８に接続される電子部品（図示せず）を含む。当業者によく知られているような様々な種類の制御バスがある。
【００１８】
これらの部品は、そのような共振などの音響効果を低減するために、ファン２４、２６、２８を多少異なる回転速度に調整する役割を果たすことができる。
【００１９】
図１の第１ハウジング部２２の右側に配された第２ハウジング部４０は、本実施形態では、ファン２４、２６、２８によって送られた空気を出口４２に導く機能のみ有する。空気誘導羽根（ガイドベーン）４４、４６は、各ファン２４、２６、２８の過負荷を避けるために、各ファン２４、２６、２８で生成された体積流量を調整するために設けられている。矢印５０（図１）によって示された空気は、ファン２４、２６、２８によって流通口７６（図３）を通じて取り込まれる。矢印４８によって示される、流出する空気は、矢印５０によって示されるように取り込まれる。軸流ファンを使用した場合、制御バス３８を介して軸流ファンホイールの回転方向を逆転させることで、空気の流れの方向を逆にすることができる。
【００２０】
図１、図４、図５で明らかに示されているように、第１ハウジング部２２は、例えば、車両（図示せず）の窪み５４の形状に最適に適合するように形成され、その窪みは、例えば、図４に示されているような車両の一部のように、計器盤、計器盤などの領域に配置された部品によって定義される。ここで、窪み５４の形状は、例えば、凹面であり、ただし、平坦又は凸状にすることもできる。それは曲がりくねった形状にも適応も可能であることは、非常に有利である。ファン２４、２６、２８を駆動するために設けられた電動モータは、図４で見ることができる。
【００２１】
（取付）基部５６、５８、６０は、第１ハウジング部２２に設けられている。ファン２４は、例えば、ねじ６２、６４及びゴム製緩衝部６６、６８の手段によって（を介して）取付基部５６上に取り付けられている（図６も参照）。その他の取付及び分離手段として、ゴムによるクリップ接続なども可能である。ファン２６は取付基部５８上に取り付けられており、ファン２８は取付基部６０上に取り付けられている。このように、各ファンは、車両のように、局所的なニーズに応じて、所望の方法で空間的に配向させることができる。
【００２２】
なお、図示されているファンはラジアルファンであるが、必要に応じて他のタイプのファンも使用することができる。
【００２３】
図４から明らかであるように、３つのファン２４、２６、２８又はファンホイールの回転軸２４Ａ、２６Ａ、２８Ａは、互いに平行を延在している必要はない。例えば、回転軸２６Ａは、回転軸２４Ａに対して垂直に延在するようにすることができ、回転軸２８Ａは、回転軸２６Ａに対して垂直に延在するようにすることができる。
【００２４】
グリッド形式の支持部材７０は、３つのファン２４、２６、２８の入口側に取り付けられている。支持部材７０は、縦リブ７２を有する（図３及び図７参照）。縦リブ７２は、フィルタ７４がファンホイールによって吸引されないようにするために、フィルタ７４を支持するのに役立つ。さらに、支持部材７０は、空気がファン２４、２６、２８に流れる３つの切欠き開口（流通口、空気入口）７６（図４）を有する。
【００２５】
フィルタ７４は、交換できるように、取外し可能なフィルタハウジング８０によって保持されている。フィルタハウジング８０の形状は、第１ハウジング部２２の形状に適合し（図４参照）、フィルタハウジング８０は、支持部材７０を第１ハウジング部２２に押し付ける。
【００２６】
図８は、図１〜図３のスイッチボックス３６の拡大斜視図である。スイッチボックス３６は、第１ハウジング部２２の対応する切欠き開口に掛合する４つの弾性タブ９２が装備されたハウジングキャップ９０を有する。
【００２７】
スイッチボックス３６は、ファンを互いに調整するために、３つのすべてのファン２４、２６、２８のための中央電子システムが含まれている。自動車に搭載されたとき、ファンは、異なる出力レベル、及び、その結果として異なる回転速度で操作されることが必要であり、煩わしい音響現象を回避するような方法で、異なる回転速度でファンを動作させなければならない場合がある。また、例えば、図２に示されている制御バス３８を介して、１以上のファン２４、２６、２８を選択的にオン・オフする（切り替える）ようにしてもよい。
【００２８】
図９〜図１１は、図８の側面図である。
【００２９】
図１２及び図１３は、電子部品９６が概略的に描かれた回路基板９４を示している。また、回路基板９４上には端子９８が配置されており、端子９８には中央バス３８に接続された３つの接続リード線１００が取り付けられている。接続リード線１００は、スイッチボックス３６内に侵入する湿気を防ぐために、ハウジングキャップ９０の壁面にあるシール１０２を通じて通常の方法で導かれている。
【００３０】
多数の変形例及び改変は、送風装置を異なる３次元形状に適応させるために、本発明の範囲内で当然可能である。
【００３１】
３個のファンの代わりに、例えば、２個、４個、５個、又は６個のファン２２、２４、２６を設けることもできる。
【００３２】
センサ（例えば、温度センサ、湿度センサ）を、例えば、第２ハウジング部４０に配置することができる。
【００３３】
分離排出路４７（図６）を各ファン又はいくつかのファンに対応付けることができ、２個以上のファン２２、２４、２６に共有化された分離排出路４７を設けることもできる。
【００３４】
ファン２２、２４、２６及び／又はスイッチボックス３６は、少なくともＩＰ５４規格に対応する保護規格を有することが好ましい。
【００３５】
なお、本出願において、特許請求の範囲を含め、図面参照符号を付している場合は、それらは、専ら理解を助けるためのものであり、図示の態様に限定することを意図するものではない。
【００３６】
また、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００３７】
２０  送風装置
２２  第１ハウジング部
２４、２６、２８  ファン
２４Ａ、２６Ａ、２８Ａ  回転軸
３０、３２、３４  振動減衰取付台
３６  スイッチボックス
３８  制御バス
４０  第２ハウジング部
４２  出口
４４、４６  空気誘導羽根
４７  分離排出路（分離排出誘導路）
４８  矢印
５０  矢印
５４  窪み
５６、５８、６０  取付基部
６２、６４  ねじ
６６、６８  ゴム製緩衝部
７０  支持部材
７２  縦リブ
７４  フィルタ
７６  流通口（流入口）
７８  取付開口（組立開口）
８０  フィルタハウジング
９０  ハウジングキャップ
９２  弾性タブ
９４  回路基板
９６  電子部品
９８  端子
１００  接続リード線
１０２  シール
【国際調査報告】
2013535374.tif 000016
2013535374.tif 000017
2013535374.tif 000018
2013535374.tif 000019